(57)【要約】【課題】  外装に木材を用いることにより、木の芳香を発生させリラックス効果のある足温器を提供する。【解決手段】  発香性を有する天然木から成る上板１と底板２との間に、同材から成り長片状に加工した多数枚の板材３を組み合わせることにより、略飯盒状の筐体４を形成する。上板１には両足を入れるための挿入孔５が設けられている。筐体４の内壁には、面状発熱体から成る面状発熱体を挟んで不織布が貼り付けられ、底板２上の面状発熱体を介して不織布が貼り付けられ、更に足裏が直接にヒータに接触しないように筐体４内部の底には踏み板が敷かれている。面状発熱体を発熱させると、足は暖められ、板材３、上板１、底板２が加温され、木の芳香が発生し使用者はリラックスする。【選択図】図１
2005095200.tif 000002
【特許請求の範囲】
【請求項１】
両足を挿入可能な筐体内側に発熱体を設け、該筐体の外装を発香性木材により形成したことを特徴とする足温器。
【請求項２】
前記発熱体はカーボンブラック面状発熱体とした請求項１に記載の足温器。
【請求項３】
前記発香性木材は檜又はさわらとした請求項１に記載の足温器。
【発明の詳細な説明】
【技術分野】
【０００１】
本発明は、筐体内の発熱体によって足を温める足温器に関するものである。
【背景技術】
【０００２】
従来から、冷え性の人を対象として発熱体により足を温め、足の血行を促進する足温器が知られている。
【０００３】
また特許文献１には、漢方薬、ハーブ、薬草、香草などのエキスをマットなどに含浸させ、加湿により消臭成分、消毒成分、芳香成分を気化させることが開示されている。
【０００４】
【特許文献１】特開２０００−５１３７６号公報
【発明の開示】
【発明が解決しようとする課題】
【０００５】
しかしながら、従来の足温器はプラスチックの筐体の内側に発熱体を配置し、この発熱体に電流を流すことにより足を単に加熱するため、加熱により足は暖まり血行は促進されるが、リラックス効果は余りなかったり、プラスチック臭により気分が悪くなるという問題点がある。
【０００６】
また特許文献１においては、芳香成分等のエキスを用意しなければならず、エキスが切れると発香効果は消滅する。
【０００７】
本発明の目的は、上述の課題を解消し、足を暖めると共に、使用中に外装の発香性木材による木の芳香を発生させて使用者にリラックス感、リフレッシュ感を与えることができる足温器を提供することにある。
【課題を解決するための手段】
【０００８】
上述の目的を達成するための本発明に係る足温器は、両足を挿入可能な筐体内側に発熱体を設け、該筐体の外装を発香性木材により形成したことを特徴とする。
【発明の効果】
【０００９】
本発明に係る足温器は、血行も促進させることはもとより、発香性木材による気持ちが落ち着く木の香りが発散するためにリラクッスすることができ、アロマセラピー効果を得ることができる。
【００１０】
また、外装に木材を使用したことにより、プラスチックや金属の無粋なデザインではなく、木調の洒落たデザインとなり部屋の隅に置いた場合にも違和感を与えない。
【００１１】
更に、筐体として木材を用いたことにより発熱体の電源を切った場合でも、温度も徐々に低下し良好なクールダウンとなる。
【発明を実施するための最良の形態】
【００１２】
図１は本実施例における足温器の斜視図、図２は縦断面図を示しており、例えば檜などの発香性の天然木から成る厚さ２０ｍｍ程度に加工した上板１と底板２との間に、同材から成る例えば厚さ１０ｍｍ程度の長片状に加工した多数枚の板材３を組み合わせることにより、略飯盒状の筐体４が形成されている。上板１には両足をふくらはぎまで挿入すると共に、熱を逃げ難くするための瓢箪状の挿入孔５が設けられ、足を入れ易いように上板１は使用者に向けて傾斜して設けられている。
【００１３】
また、筐体４の内壁には断熱材６が設けられ、その内側に例えば消費電力１６０Ｗのカーボンブラック面状発熱体から成る面状発熱体７を挟んだ不燃性の不織布８が貼り付けられている。更に、その内側の特に足先等が触れる可能性がある筐体４の下部内壁には、高さ約５ｃｍ程度の例えば布製の断熱ベルト９が貼り付けられている。また底板２の上面に、例えば消費電力２０Ｗの面状発熱体１０を挟んだ不燃性の不織布１１が貼り付けられている。これらの上には、足裏が直接、発熱体１０に接触しないように簀の子状の踏み板１２が置かれている。
【００１４】
２つの面状発熱体７、１０は遠赤外線を発するヒータであって、筐体４の側面下部に設けたコネクタ１３に、温度、通電時間、電源のオン／オフを設定できるコントローラ１４を介して電源供給線１５が接続されている。
【００１５】
使用者は電源供給線１５の先端のプラグを図示しないコンセントに接続し、スイッチを入れて面状発熱体７、１０を加熱する。この際に、コントローラ１４、図示しない温度センサを介して例えば３０〜６０℃の範囲で好みの加熱温度や、タイマとして通電時間を設定することができる。
【００１６】
また、電源供給線１５の途中にコントローラ１４を設けたため、使用中に加熱温度や加熱時間の設定を変更する際に、その都度立ち上がったり、腰をかがめる必要がない。
【００１７】
使用者は椅子などに腰を掛け、筐体４内に両足を入れると足は暖められ、更に板材３、上板１、底板２が加温され、檜独特の芳香が部屋に立ちこめ、使用者は森林浴をしているような気分となり、リラックスすることができる。檜などの木材は加温しなくても芳香は発生するが、加温することにより、更に香りの発生源である檜オイルが揮発し易くなり、より強く発香することになる。
【００１８】
また本実施例１では、板材３、上板１、底板２に檜の天然木を使用していることにより、檜オイルの消臭、除菌作用により、例えば靴下などを履いたまま使用すると、靴下の悪臭成分が中和され、臭いも少なくなる。
【００１９】
なお、断熱材６の断熱性能を高め過ぎると、周囲の板材３、底板２に熱が伝熱し難くなり、発香が低下することも考えられ、断熱材６は適度に外側に熱を伝えることが好ましく、場合によっては断熱材６を省略し、発熱体７、１０と板材３、底板２間に隙間を設けてもよい。
【００２０】
また、板材３、底板２、上板１は檜などの木材から成るため、長期間使用することにより発香性能が低下しても、乾いた布等で表面に付着した汚れを拭き、磨くことによって発香は復活する。
【産業上の利用可能性】
【００２１】
本実施例においては、板材３、底板２、上板１に檜の天然木を使用したが、更に同様に発香効果の高いさわらなどを用いたり、修正材、合板その他の木材を使用してもよい。
【００２２】
また、板材３、底板２、上板１で最も表面積が大きいのは、板材３であるのでえ、板材３のみに発香性木材を使用しても効果がある。
【００２３】
本実施例においては、熱源に面状発熱体を用いたが、他の形式のヒータを用いることもできる。
【００２４】
更に、本実施例においては、椅子に腰掛けて使用する使用法を説明したが、筐体４を倒し、利用者は寝ながら使用することも可能である。この場合には、筐体４の形状を飯盒形状としたことにより、筐体４が転がることはなく、安定した状態で使用することができる。
【図面の簡単な説明】
【００２５】
【図１】実施例１における足温器の斜視図である。
【図２】縦断面図である。
【符号の説明】
【００２６】
１  上板
２  底板
３  板材
４  筐体
５  挿入孔
６  断熱材
７、９  面状発熱体
８、１１  不織布
１０  断熱ベルト
１２  踏み板
１３  コネクタ
１４  コントローラ
１５  電源供給線
【図２】
2005095200.tif 000003
【図１】
2005095200.tif 000004
【手続補正書】
【提出日】平成16年12月2日(2004.12.2)
【手続補正１】
【補正対象書類名】特許請求の範囲
【補正対象項目名】全文
【補正方法】変更
【補正の内容】
【特許請求の範囲】
【請求項１】
内部を空洞とし横断面を略飯盒状とした筐体と、該筐体の上部に設け斜めに傾斜した上板と、該上板に設けた瓢箪形状の足挿入孔と、前記筐体内に配置した発熱体を備えたことを特徴とする足温器。
【請求項２】
前記発熱体はカーボンブラック面状発熱体とした請求項１に記載の足温器。
【請求項３】
前記筐体の外装を発香性木材により形成したことを特徴とする請求項１に記載の足温器。
【請求項４】
前記発香性木材は檜又はさわらとした請求項３に記載の足温器。
【手続補正２】
【補正対象書類名】明細書
【補正対象項目名】全文
【補正方法】変更
【補正の内容】
【発明の詳細な説明】
【技術分野】
【０００１】
本発明は、筐体内の発熱体によって足を温める足温器に関するものである。
【背景技術】
【０００２】
従来から、冷え性の人を対象として発熱体により足を温め、足の血行を促進する足温器が知られている。
【発明の開示】
【発明が解決しようとする課題】
【０００３】
しかしながら、従来の足温器はプラスチックの筐体の内側に発熱体を配置し、この発熱体に電流を流すことにより足を単に加熱するため、加熱により足は暖まり血行は促進されるが、足を入れるための使い易さが欠けていたり、保温効果がないという問題点がある。
【０００４】
本発明の目的は、使用し易く保温性の良い足温器を提供することにある。
【課題を解決するための手段】
【０００５】
上述の目的を達成するための本発明に係る足温器は、内部を空洞とし横断面を略飯盒状とした筐体と、該筐体の上部に設け斜めに傾斜した上板と、該上板に設けた瓢箪形状の足挿入孔と、前記筐体内に配置した発熱体を備えたことを特徴とする。
【発明の効果】
【０００６】
本発明に係る足温器によれば、使い易く保温性が良い。
【０００７】
また、外装に発香素材を使用すると、血行も促進され、発香性木材による気持ちが落ち着く木の香りが発散するためにリラックスすることができ、アロマセラピー効果を得ることができる。
【０００８】
また、外装に木材を使用すれば、プラスチックや金属の無粋なデザインではなく、木調の洒落たデザインとなり、部屋の隅に置いた場合にも違和感を与えない。
【０００９】
更に、筐体として木材を用いれば、断熱性も良く、発熱体の電源を切った場合でも、温度も徐々に低下し良好なクールダウンとなる。
【発明を実施するための最良の形態】
【００１０】
図１は本実施例における足温器の斜視図、図２は縦断面図を示しており、例えば檜などの発香性の天然木から成る厚さ２０ｍｍ程度に加工した上板１と底板２との間に、同材から成る例えば厚さ１０ｍｍ程度の長片状に加工した多数枚の板材３を組み合わせることにより、略飯盒状の筐体４が形成されている。上板１には両足をふくらはぎまで挿入すると共に、熱を逃げ難くするための瓢箪形状の挿入孔５が設けられ、足を入れ易いように上板１は使用者に向けて傾斜して設けられている。
【００１１】
また、筐体４の内壁には断熱材６が設けられ、その内側に例えば消費電力１６０Ｗのカーボンブラックから成る面状発熱体７を挟んだ不燃性の不織布８が貼り付けられている。更に、その内側の特に足先等が触れる可能性がある筐体４の下部内壁には、高さ約５ｃｍ程度の例えば布製の断熱ベルト９が貼り付けられている。また底板２の上面に、例えば消費電力２０Ｗの面状発熱体１０を挟んだ不燃性の不織布１１が貼り付けられている。これらの上には、足裏が直接、発熱体１０に接触しないように簀の子状の踏み板１２が置かれている。
【００１２】
２つの面状発熱体７、１０は遠赤外線を発するヒータであって、筐体４の側面下部に設けたコネクタ１３に、温度、通電時間、電源のオン／オフを設定できるコントローラ１４を介して電源供給線１５が接続されている。
【００１３】
使用者は電源供給線１５の先端のプラグを図示しないコンセントに接続し、スイッチを入れて面状発熱体７、１０を加熱する。この際に、コントローラ１４、図示しない温度センサを介して例えば３０〜６０℃の範囲で好みの加熱温度や、タイマとして通電時間を設定することができる。
【００１４】
また、電源供給線１５の途中にコントローラ１４を設けたため、使用中に加熱温度や加熱時間の設定を変更する際に、その都度立ち上がったり、腰をかがめる必要がない。
【００１５】
使用者は椅子などに腰を掛け、筐体４内に両足を入れると足は暖められ、更に板材３、上板１、底板２が加温され、檜独特の芳香が部屋に立ちこめ、使用者は森林浴をしているような気分となり、リラックスすることができる。檜などの木材は加温しなくても芳香は発生するが、加温することにより、更に香りの発生源である檜オイルが揮発し易くなり、より強く発香することになる。
【００１６】
また本実施例１では、板材３、上板１、底板２に檜の天然木を使用していることにより、檜オイルの消臭、除菌作用により、例えば靴下などを履いたまま使用すると、靴下の悪臭成分が中和され、臭いも少なくなる。
【００１７】
なお、断熱材６の断熱性能を高め過ぎると、周囲の板材３、底板２に熱が伝熱し難くなり、発香が低下することも考えられ、断熱材６は適度に外側に熱を伝えることが好ましく、場合によっては断熱材６を省略し、発熱体７、１０と板材３、底板２間に隙間を設けてもよい。
【００１８】
また、板材３、底板２、上板１は檜などの木材から成るため、長期間使用することにより発香性能が低下しても、乾いた布等で表面に付着した汚れを拭き、磨くことによって発香は復活する。
【産業上の利用可能性】
【００１９】
本実施例においては、板材３、底板２、上板１に檜の天然木を使用したが、更に同様に発香効果の高いさわらなどを用いたり、修正材、合板その他の木材を使用してもよい。
【００２０】
また、板材３、底板２、上板１で最も表面積が大きいのは板材３であるので、板材３のみに発香性木材を使用しても効果がある。
【００２１】
本実施例においては、熱源に面状発熱体を用いたが、他の形式のヒータを用いることもできる。
【００２２】
更に、本実施例においては、椅子に腰掛けて使用する使用法を説明したが、筐体４を倒し、利用者は寝ながら使用することも可能である。この場合には、筐体４の形状を飯盒形状としたことにより、筐体４が転がることはなく、安定した状態で使用することができる。
【図面の簡単な説明】
【００２３】
【図１】実施例における足温器の斜視図である。
【図２】縦断面図である。
【符号の説明】
【００２４】
１  上板
２  底板
３  板材
４  筐体
５  挿入孔
６  断熱材
７、９  面状発熱体
８、１１  不織布
１０  断熱ベルト
１２  踏み板
１３  コネクタ
１４  コントローラ
１５  電源供給線